(57)【要約】【課題】加熱に長時間を要することなく効果的な殺菌を行うことが可能な殺菌機能付洗濯機及び殺菌洗浄方法を提供することを目的とする。【解決手段】本発明に係る殺菌機能付洗濯機及び殺菌洗浄方法によれば、外胴３０及び外胴３０に関与する各部に耐圧構造を施すことで、外胴３０内部を１００℃以上の高圧高温状態とすることが可能となる。これにより、医療用衣類等の被洗濯物に対し従来よりも効果的な殺菌を行うことができる。更に、殺菌を高圧高温蒸気を用いて行うことで洗浄水を長時間加熱する必要が無く、殺菌工程の時間短縮と省エネルギー化とを図ることができる。【選択図】図３
2009285203.tif 000002
【特許請求の範囲】
【請求項１】
被洗濯物を出し入れする耐圧構造を備えた扉部と、
当該扉部を有するとともに耐圧構造を備えた外胴と、
当該外胴の内部に設置され前記扉部側の面が開口し且つ周面に多孔を備えさらに軸線方向を中心に回転する略円筒状の内胴と、
当該内胴を回転駆動させる駆動手段と、
前記外胴内及び内胴内に高圧高温蒸気を供給する耐圧構造の開閉器を備えた給蒸気配管と、
前記外胴内及び内胴内の蒸気及び気体を排気する耐圧構造の開閉器を備えた排気口と、
前記外胴内及び内胴内に洗浄水を給水する耐圧構造の開閉器を備えた給水配管と、
前記外胴内及び内胴内の洗浄水を排水する耐圧構造の開閉器を備えた排水弁と、
を有することを特徴とする殺菌機能付洗濯機。
【請求項２】
耐圧構造を備えた外胴内に設置された内胴の内部に被洗濯物を投入する工程と、
前記外胴内及び内胴内に高圧高温蒸気を供給して当該外胴内及び内胴内を高圧高温状態とし、当該高圧高温状態を所定時間維持しながら前記内胴を回転させることで前記被洗濯物を殺菌する殺菌工程と、
常圧状態の前記外胴内及び内胴内に対して洗浄水を給排水するとともに前記内胴を適宜回転させることで、前記被洗濯物の洗浄及び脱水を行う洗浄工程と、
を備えることを特徴とする殺菌洗浄方法。
【発明の詳細な説明】
【技術分野】
【０００１】
本発明は、主に医療機関等から出される衣類、リネン類等の各種繊維製品を殺菌、洗濯するための殺菌機能付洗濯機及び殺菌洗浄方法に関するものである。
【背景技術】
【０００２】
現在、主に医療機関等から出される患者等が使用した布団やシーツ、枕などのリネン類や患者や医療従事者等が使用したタオル、衣類等の各種繊維製品（以後、医療用衣類と記載する。）の洗濯業務は、医療機関以外の専門施設（洗濯業者）に委託され行われていることが多い。医療機関が洗濯業者に委託可能な医療用衣類は、医療機関内で消毒が行われたものと感染症に感染する危険性の無い一般のものとであり、感染の危険性のあるものは原則として医療機関内で消毒を行ってから洗濯業者に引き渡すこととされている。この場合、洗濯業者は消毒後の医療用衣類や感染の危険性の無い一般の医療用衣類を医療機関から回収し、洗濯、乾燥した後に医療機関に納品すれば良い。しかしながら、感染の危険性の有る医療用衣類に関しても、感染の危険のある旨を表示した密閉性の容器に入れた上であれば、洗濯業者に洗濯業務を委託することが可能であり、この場合、洗濯業者が医療用衣類の消毒を行う必要がある。
【０００３】
感染の危険性の有る医療用衣類の消毒は、蒸気、熱水、塩素剤、ガス等を用いた方法で行うこととされており、実際には熱水消毒（８０℃１０分）が多く用いられている。ここで、下記［特許文献１］では、９０℃以上の先浄水で医療用衣類の殺菌及び洗浄を行う医療用繊維製品の洗浄方法及び該洗浄方法に用いる洗濯機に関する発明が開示されている。
【０００４】
【特許文献１】特開２００１−２７９５７３号公報
【発明の開示】
【発明が解決しようとする課題】
【０００５】
しかしながら、例えばセレウス菌などは芽胞の状態で１００℃３０分の加熱にも耐えうることが知られており、［特許文献１］に開示された発明等の殺菌方法では、洗浄水等を１００℃以上にすることができず十分な殺菌が行えない可能性がある。また、［特許文献１］に開示された発明では、多量の先浄水を９０℃以上にまで加熱する必要があり、加熱に長時間を要するという問題点がある。
【０００６】
本発明は上記事情に鑑みて成されたものであり、加熱に長時間を要することなく効果的な殺菌を行うことが可能な殺菌機能付洗濯機及び殺菌洗浄方法を提供することを目的とする。
【課題を解決するための手段】
【０００７】
本発明は、
（１）被洗濯物を出し入れする耐圧構造を備えた扉部２０と、
当該扉部２０を有するとともに耐圧構造を備えた外胴３０と、
当該外胴３０の内部に設置され前記扉部２０側の面が開口し且つ周面に多孔３４を備えさらに軸線方向を中心に回転する略円筒状の内胴３２と、
当該内胴３２を回転駆動させる駆動手段と、
前記外胴３０内及び内胴３２内に高圧高温蒸気を供給する耐圧構造の開閉器４０ｂを備えた給蒸気配管４０と、
前記外胴３０内及び内胴３２内の蒸気及び気体を排気する耐圧構造の開閉器４２ａを備えた排気口４２と、
前記外胴３０内及び内胴３２内に洗浄水を給水する耐圧構造の開閉器４４ｂ１、４４ｂ２を備えた給水配管４４と、
前記外胴３０内及び内胴３２内の洗浄水を排水する耐圧構造の開閉器４８ａを備えた排水弁４８と、
を有することを特徴とする殺菌機能付洗濯機１００を提供することにより、上記課題を解決する。
（２）耐圧構造を備えた外胴３０内に設置された内胴３２の内部に被洗濯物を投入する工程と、
前記外胴３０内及び内胴３２内に高圧高温蒸気を供給して当該外胴３０内及び内胴３２内を高圧高温状態とし、当該高圧高温状態を所定時間維持しながら前記内胴３２を回転させることで前記被洗濯物を殺菌する殺菌工程と、
常圧状態の前記外胴３０内及び内胴３２内に対して洗浄水を給排水するとともに前記内胴３２を適宜回転させることで、前記被洗濯物の洗浄及び脱水を行う洗浄工程と、
を備えることを特徴とする殺菌洗浄方法を提供することにより、上記課題を解決する。
【発明の効果】
【０００８】
本発明に係る殺菌機能付洗濯機は、外胴及び外胴に関与する各部に耐圧構造を施すことで、外胴内部を１００℃以上の高圧高温状態とすることが可能となる。
よって、本発明に係る殺菌機能付洗濯機及び殺菌洗浄方法によれば、医療用衣類等の被洗濯物に対し従来よりも効果的な殺菌を行うことができる。また、殺菌を高圧高温蒸気を用いて行うことで、洗浄水を長時間加熱する必要が無く殺菌工程の時間短縮を図ることができる。
【発明を実施するための最良の形態】
【０００９】
本発明に係る殺菌機能付洗濯機及び殺菌洗浄方法の実施の形態について図面に基づいて説明する。図１、図２は、本発明に係る殺菌機能付洗濯機の一実施の形態の外観図である。図３は、本発明に係る殺菌機能付洗濯機の外胴及び各配管を示す図である。尚、図１〜図３においては、本発明に直接関与しない制御系や伝送系等に関する記載及び説明は省略するものとする。
【００１０】
図１（ａ）は本発明に係る一実施の形態の殺菌機能付洗濯機１００の前面を、図１（ｂ）は殺菌機能付洗濯機１００の右側面を、図２（ａ）は殺菌機能付洗濯機１００の左側面を、図２（ｂ）は殺菌機能付洗濯機１００の後面を、それぞれ示す図である。
【００１１】
殺菌機能付洗濯機１００の筐体１０は、所定の強度を有する鋼材等のフレームとそれを覆う外装板と殺菌機能付洗濯機１００に対するメンテナンス等を行うための開閉可能な扉やハッチ等で主に構成されている。筐体１０に空気バネ等の緩衝部材を介して設置される外胴３０は、外胴本体部３０ａと外胴本体部３０ａの前面に固定される前鏡板３１と後述する扉本体２２の内面とで構成される。そして、前鏡板３１の所定の位置には略円形状の開口部を有している。外胴３０の内部には前面が開口した略円筒状の内胴３２が設置され、内胴３２の開口部分と前鏡板３１の開口部の位置とは略一致している。尚、内胴３２の回転時（特に脱水動作時）には外胴３０に大きな振動が生じるが、上記の緩衝部材は床等に伝わる外胴３０の振動を緩和することができる。また、緩衝部材は外胴３０の底面の四隅近傍にそれぞれ設けることが好ましい。
【００１２】
前鏡板３１の所定の位置にはヒンジ部２６が設けられ、ヒンジ部２６には扉フレーム２４の一端が可動な状態で設置されるとともに、扉フレーム２４には扉部２０の扉本体２２が固定されている。そして、ヒンジ部２６により扉本体２２が扉フレーム２４とともに開閉することで、前鏡板３１の開口部が開閉する。これにより、医療用衣類等の被洗濯物を前鏡板３１の開口部を通して内胴３２内に容易に出し入れすることができる。また、前鏡板３１の所定の位置には扉本体２２が閉じている状態のときに、扉本体２２を扉フレーム２４を介してロック状態とするためのロック機構２４ａが設置されている。
【００１３】
尚、外胴３０と扉部２０とは所定の圧力に抗する耐圧構造を備えており、さらに扉本体２２と前鏡板３１の開口部との間にはパッキン等の封止部材が設置されている。そして、この封止部材とロック機構２４ａとによって前鏡板３１の開口部を密閉し、外胴３０内からの洗浄水の漏水を防止するとともに外胴３０内を高圧高温状態とすることができる。尚、扉本体２２には耐圧ガラス等による窓部２２ａを設け、内胴３２内を目視可能としても良い。
【００１４】
また、筐体１０の前面には、殺菌機能付洗濯機１００の殺菌工程における殺菌時間、及び洗浄工程の洗浄時間、洗浄水の温度及び水量、すすぎ条件、脱水条件等を入力もしくは選択するための操作パネル１２が設置され、操作パネル１２には殺菌機能付洗濯機１００の動作状態や警報、操作ガイド等を表示可能な表示部１２ａが設けられている。
【００１５】
内胴３２の周面は多孔３４が形成されたメッシュ部材で構成されており、この多孔３４を通して外胴３０内に供給される洗浄水及び蒸気は自由に出入りすることが可能となる。これにより、外胴３０内の環境と内胴３２内の環境とを同等とすることができる。また、内胴３２の後面の中心部分には、内胴３２の軸線方向と略一致して回転軸３６が設置され、回転軸３６は外胴本体部３０ａ後面（後鏡板）の貫通孔を通して外胴３０の外部に伸びている。そして、この回転軸３６は外胴本体部３０ａに固定された図示しない軸受けに回転可能に支持され、これにより内胴３２は外胴３０の内面と接触することなく保持される。また、外胴３０の後方下部には駆動手段を構成するモータ３８が設けられ、モータ３８の回転駆動力は同じく駆動手段を構成する減速手段３８ａを介して回転軸３６に所定のトルクで伝達される。これにより、内胴３２は内胴３２の軸線を中心に回転することができる。尚、回転軸３６と外胴本体部３０ａの貫通孔との間はパッキン等の封止部材等によって密閉されており、外胴３０内からの漏水を防止するとともに外胴３０内を高圧高温状態とすることができる。
【００１６】
さらに、外胴本体部３０ａの右側面には洗浄水に洗剤、柔軟剤、漂白剤、洗濯糊等の薬剤を投入するための薬剤投入手段１４が設置されている。尚、薬剤投入手段１４の投入口等もパッキン等の封止部材等による密閉が可能であり、外胴３０内を高圧高温状態とすることができる。
【００１７】
ここで、殺菌機能付洗濯機１００の外胴３０に接続されている各配管を図３を用いて説明する。尚、図３は殺菌機能付洗濯機１００の外胴３０と外胴３０に接続される各配管を示す図である。
【００１８】
先ず、外胴３０には外胴３０内及び内胴３２内に高圧高温蒸気を供給するための耐圧構造の給蒸気配管４０が接続されている。給蒸気配管４０は蒸気配管接続口４０ｃを介して外部給蒸気配管１と接続されており、外部給蒸気配管１は図示しないボイラー等の高圧高温蒸気生成手段と接続されている。そして、高圧高温蒸気生成手段で生成された高圧高温蒸気は、外部給蒸気配管１、蒸気配管接続口４０ｃ、給蒸気配管４０ａ１、４０ａ２、４０ａ３、及び外胴本体部３０ａの下部に設けられた給蒸気口４０ｄを通して外胴３０内部に供給される。また、給蒸気配管４０の経路上には耐圧構造を備えたバルブ等の開閉器４０ｂが設置され、この開閉器４０ｂを開閉することで外胴３０への高圧高温蒸気の供給及び供給停止を行うことができる。尚、給蒸気口４０ｄを外胴３０下部に設けることで、給蒸気配管４０から供給される高圧高温蒸気を用いて洗浄水の加熱を行うことができる。
【００１９】
また、外胴３０には外胴３０内及び内胴３２内に洗浄水を給水するための耐圧構造の給水配管４４が接続されている。尚、本例においては、給水配管４４の給水栓側を二つに分岐して一方を常温の水を供給する外部給水配管３ａに、もう一方を所定の温度の温水を供給する外部給湯配管３ｂにそれぞれ接続する例を示している。この場合、外部給水配管３ａに接続する給水配管４４ａ１と、外部給湯配管３ｂに接続する給水配管４４ａ２とのそれぞれに耐圧構造を備えた開閉器４４ｂ１、４４ｂ２が設けられる。そして、外部給水配管３ａ及び外部給湯配管３ｂから供給される水もしくは温水もしくはそれらの混合水は、給水配管４４ａ３、４４ａ４、４４ａ５を通して外胴３０上部に設けられた給水口４４ｄから外胴３０内部に洗浄水として供給される。また、給水配管４４の所定の位置には給水配管４４中の停留水等を排出するためのドレン排出口１６が設置される。
【００２０】
また、外胴３０下部の所定の位置には、耐圧構造の開閉器４８ａを備えた排水弁４８が接続され、排水弁４８の下方には殺菌機能付洗濯機１００を設置する床に設けられた外部排水ピット５が位置している。そして、この排水弁４８の開閉器４８ａが開動作することで、外胴３０内の洗浄水を外部排水ピット５に排出することができる。
【００２１】
さらにまた、外胴本体部３０ａの所定の位置には、外胴３０内の蒸気又は気体を排出するための耐圧構造の開閉器４２ａを備えた排気口４２が接続されている。尚、本例においては排気口４２と外胴本体部３０ａとの間の配管を上下方向に分岐して、分岐した上方向の配管を排気口４２とし、下方向の配管を外胴３０内の洗浄水が規定の水位を超えた時に余剰な洗浄水を外部排水ピット５に排出するオーバーフロ配管１８とした例を示している。この場合、開閉器４２ａは上記の分岐部と外胴本体部３０ａとの間に設置される。上記の排気口４２はオーバーフロ配管１８と別に設置しても良いし、オーバーフロ配管１８が排気口４２を兼ねるように構成しても良い。ただし、外胴３０内を高圧高温状態に維持できるよう、各配管の所定の位置には耐圧構造の開閉器を設ける必要がある。尚、排気口４２には所定の排気配管を接続し、外胴３０内の高温蒸気を殺菌機能付洗濯機１００の外部もしくは屋外に排出可能とすることが好ましい。また、排気口４２の開閉器４２ａに所定の圧力以上になったときに自動的に開動作するものを用いれば、外胴３０の内圧がなんらかの原因により過剰となった時に開閉器４２ａが保護装置として機能することとなる。さらにまた、保護装置としての開閉器４２ａの動作圧力を設定可能とすれば、外胴３０内の高圧高温状態を供給される高圧高温蒸気以下の範囲で比較的自由に設定することができる。尚、保護装置として機能する開閉器は、開閉器４２ａとは別に外胴３０の所定の位置に設けても良い。
【００２２】
上記の外胴３０、扉部２０、各配管、各開閉器、及び各部の封止部材等は、２ａｔｍ（２００ｋＰａ）以上、好ましくは３ａｔｍ（３００ｋＰａ）程度の耐圧性を備えており、外胴３０内を１００℃以上の高温蒸気で満たすことが可能である。尚、一般的なバルブ等の開閉器は通常ある程度の耐圧性を備えているため、外胴３０内の高圧高温状態に耐えうるものであれば市販の一般的なバルブ等を各開閉器として用いることができる。
【００２３】
次に、殺菌機能付洗濯機１００の動作と本発明に係る殺菌洗浄方法とを説明する。
【００２４】
先ず、給水配管４４の開閉器４４ｂ１、４４ｂ２と給蒸気配管４０の開閉器４０ｂとを閉じた状態でロック機構２４ａのロック状態を解除する。次に、扉本体２２を扉フレーム２４ごと開け、医療用衣類等の被洗濯物を前鏡板３１の開口部を通して内胴３２内に投入する。次に、扉本体２２を扉フレーム２４ごと閉じ、ロック機構２４ａをロック状態とする。次に、操作パネル１２を操作して殺菌工程条件及び洗浄工程条件等を設定もしくは選択し、動作開始ボタン等を押下する。このとき、薬剤投入手段１４の投入口は密閉された状態にある。
【００２５】
動作開始ボタン等が押下され殺菌機能付洗濯機１００に対する動作開始指示がされると、排水弁４８の開閉器４８ａと排気口４２の開閉器４２ａとが閉動作する。これにより外胴３０内は完全に密閉された状態となる。次に、給蒸気配管４０の開閉器４０ｂが開動作する。これにより、外部給蒸気配管１からの高圧高温蒸気が給蒸気配管４０を通して外胴３０内部に供給される。前述のように、外胴３０等は耐圧構造を有し且つ（給蒸気配管４０の給蒸気口４０ｄを除き）密閉された状態であるため、外胴３０内部は外部給蒸気配管１から供給される高圧高温蒸気で満たされ、最終的に外部給蒸気配管１から供給される高圧高温蒸気と略同等の高圧高温状態もしくは上記の保護装置として機能する開閉器の上限圧力と略同等の高圧高温状態（約１４０ｋＰａ・１０５℃〜約２８０ｋＰａ・１３０℃、好ましくは１４７ｋＰａ・１１０℃程度）となる。そして、外胴３０内に設置された内胴３２内も多孔３４の存在によって、外胴３０内と同様の高圧高温状態となる。尚、排気口４２の開閉器４２ａの閉動作を遅延させ、外胴３０内を給蒸気配管４０からの高圧高温蒸気で略飽和させた後に開閉器４２ａの閉動作を行うようにしても良い。
【００２６】
そして、上記の高圧高温状態を所定時間（１０分〜３０分程度が好ましい。）維持することで、被洗濯物に付着した細菌、病原菌等を殺菌する。この際、駆動手段を動作させ、内胴３２を連続的もしくは断続的に回転させることで被洗濯物を攪拌し、殺菌効率を向上させることが好ましい。以上が本発明に係る殺菌洗浄方法の殺菌工程に相当する。
【００２７】
次に、殺菌機能付洗濯機１００は給蒸気配管４０の開閉器４０ｂを閉動作させるとともに排気口４２の開閉器４２ａを開動作させる。これにより、外胴３０内は常圧となる。次に、給水配管４４の開閉器４４ｂ１、４４ｂ２の一方もしくは双方を開動作させ、給水配管４４を通して外部給水配管３ａから供給される水もしくは外部給湯配管３ｂから供給される温水もしくはそれらの混合水を洗浄水として外胴３０内に給水する。このとき薬剤投入手段１４は、薬剤投入手段１４内に予め蓄えられている所定の薬剤を直接もしくは給水中の洗浄水を介して外胴３０内に投入する。そして、外胴３０内に所定量の洗浄水が給水されると、殺菌機能付洗濯機１００は給水配管４４の開閉器４４ｂ１、４４ｂ２を閉動作させる。このとき、内胴３２内には洗浄水が多孔３４を通して流入し、内胴３２内の被洗濯物は洗浄水中に没した状態となる。
【００２８】
次に、殺菌機能付洗濯機１００は駆動手段を動作させ、内胴３２を連続的もしくは断続的に回転させる。これにより、殺菌後の被洗濯物の洗浄が行われる。尚、この洗浄動作中に給蒸気配管４０の開閉器４０ｂを開動作させ、供給される高圧高温蒸気により外胴３０内の洗浄水に対する加熱もしくは保温を行っても良い。また、何らかの原因で外胴３０内の洗浄水量が過剰となりオーバーフロ配管１８の設置位置（本例では排気口４２の分岐前の配管の設置位置）の水位を超えると、余剰な洗浄水はオーバーフロ配管１８を通して外部排水ピット５に排水される。
【００２９】
上記の洗浄動作が所定の時間行われると、殺菌機能付洗濯機１００は駆動手段を停止するとともに排水弁４８の開閉器４８ａを開動作させる。これにより、外胴３０内の洗浄水は排水弁４８を通して外部排水ピット５に排水され適切に処理される。尚、排水される洗浄水は殺菌後の被洗濯物を洗浄したものであるから、排水された洗浄水により感染症等に罹患することは無い。
【００３０】
次に、殺菌機能付洗濯機１００は、排水弁４８の開閉器４８ａを閉動作させるとともに給水配管４４の開閉器４４ｂ１、４４ｂ２の一方もしくは双方を再度開動作させ、水もしくは温水もしくはそれらの混合水をすすぎ用の洗浄水として外胴３０内に給水する。そして、外胴３０内に所定量のすすぎ用の洗浄水が給水されると、給水配管４４の開閉器４４ｂ１、４４ｂ２を閉動作させるとともに駆動手段を動作させ、内胴３２を連続的もしくは断続的に回転させる。これにより、洗浄後の被洗濯物に対するすすぎが行われる。
【００３１】
上記のすすぎ動作が所定の時間行われると、殺菌機能付洗濯機１００は駆動手段を停止するとともに排水弁４８の開閉器４８ａを開動作させる。これにより、外胴３０内のすすぎ用の洗浄水は外部排水ピット５に排水され適切に処理される。尚、上記のすすぎ動作は複数回行っても良い。
【００３２】
次に、殺菌機能付洗濯機１００は駆動手段を高速で動作させ、内胴３２を高速回転させる。この回転動作の遠心力により被洗濯物の過剰な水分は多孔３４を通して外胴３０に排出され、被洗濯物に対する脱水が行われる。尚、外胴３０に排出された余剰な水分は、排水弁４８を通して外部排水ピット５に排水される。以上が、本発明に係る殺菌洗浄方法の洗浄工程に相当する。
【００３３】
尚、上記の例では殺菌工程後に洗浄工程を行う例を示したが、洗浄工程後に殺菌工程を行うようにしても良い。上記の例のように殺菌工程を先に行う場合では、殺菌工程時の高温状態によって被洗濯物に付着した血液や蛋白質成分が固化し除去し難い状態となるが、洗浄工程を先に行えば血液や蛋白質成分を容易に洗浄・除去することができる。ただしこの場合には、外部排水ピット５に排水された洗浄水に対して薬剤等による消毒を行う必要がある。
【００３４】
上記のようにして殺菌工程及び洗浄工程が終了すると、殺菌機能付洗濯機１００は被洗濯物の殺菌及び洗浄が終了したことを報知し待機状態となる。
【００３５】
次に、被洗濯物の投入時と同様の操作を行って扉部２０を開け、脱水後の被洗濯物を取り出す。取り出された被洗濯物は衣類乾燥設備等で乾燥処理される。尚、殺菌機能付洗濯機１００に衣類乾燥手段を設け、殺菌工程、洗浄工程後に連続して被洗濯物に対する乾燥処理を行えるようにしても良い。
【００３６】
以上のように、本発明に係る殺菌機能付洗濯機及び殺菌洗浄方法によれば、外胴３０及び外胴３０に関与する各部に耐圧構造を施すことで、外胴３０内部を１００℃以上の高圧高温状態とすることが可能となる。これにより、医療用衣類等の被洗濯物に対し従来よりも効果的な殺菌を行うことができる。また、セレウス菌等の耐熱性の病原菌に対しても十分な殺菌を行うことができる。更に、殺菌を高圧高温蒸気を用いて行うことで洗浄水を長時間加熱する必要が無く、殺菌工程の時間短縮と省エネルギー化とを図ることができる。尚、本発明は、洗濯業者のみならず医療機関、福祉施設、研究機関等でも使用することができる他、本発明は本発明の要旨を逸脱しない範囲で変更して実施することが可能である。
【図面の簡単な説明】
【００３７】
【図１】本発明に係る殺菌機能付洗濯機の一実施の形態の前面及び右側面を示す外観図である。
【図２】本発明に係る殺菌機能付洗濯機の一実施の形態の左側面及び後面を示す外観図である。
【図３】本発明に係る殺菌機能付洗濯機の外胴及び各配管を示す図である。
【符号の説明】
【００３８】
２０    扉部
３０    外胴
３２    内胴
３４    多孔
４０    給蒸気配管
４２    排気口
４４    給水配管
４８    排水弁
４０ｂ、４２ａ、４４ｂ１、４４ｂ２、４８ａ    開閉器
１００  殺菌機能付洗濯機
【図１】
2009285203.tif 000003
【図２】
2009285203.tif 000004
【図３】
2009285203.tif 000005